(57)【要約】【課題】冷蔵室の扉が開かれたときの冷凍室内の温度上昇を低減して、冷凍室内の収容物を適正に冷却できるようにする。【解決手段】本発明の冷凍冷蔵庫は、冷蔵室５１および冷凍室５２の冷却器６１・６２が電磁弁１５１・１５２を介して一台の圧縮機１２に接続され、電磁弁１５１・１５２がオン状態で冷却器６１・６２に冷媒供給される。冷蔵室５１および冷凍室５２の検知温度Ｄ１・Ｄ２に基づいて、冷蔵室５１および冷凍室５２内が所定の温度範囲内になるように各電磁弁１５１・１５２が制御される。そして、扉センサ１９１により冷蔵室５１の扉１０が開かれたことが検知されたのち、扉１０が閉じられてから待機時間Ｌｔが経過するまでに、冷蔵室および冷凍室用の電磁弁１５１・１５２がいずれもオン状態になる場合には、冷蔵室用の電磁弁１５１をオフ操作し、扉１０が閉じられてから待機時間Ｌｔが経過すると、該電磁弁１５１をオン操作する。【選択図】図８
2010071606.tif 000002
【特許請求の範囲】
【請求項１】
前面が開口する冷蔵室（５１）および冷凍室（５２）と、冷蔵室（５１）および冷凍室（５２）に配置された冷却器（６１・６２）と、冷蔵室（５１）の前面開口を開閉する扉（１０）と、該扉（１０）の開閉を検知する扉センサ（１９１）とを有し、一台の圧縮機（１２）から各冷却器（６１・６２）に供給される冷媒により、冷蔵室（５１）および冷凍室（５２）内が冷却される冷凍冷蔵庫であって、
冷蔵室（５１）および冷凍室（５２）の冷却器（６１・６２）は、電磁弁（１５１・１５２）を介してそれぞれ圧縮機（１２）に接続されており、電磁弁（１５１・１５２）が開状態になることで冷却器（６１・６２）に冷媒が供給されるようになっており、
冷蔵室（５１）および冷凍室（５２）には、内部温度を検知する温度センサ（１８１・１８２）が配置されており、
各温度センサ（１８１・１８２）の検知温度（Ｄ１・Ｄ２）に基づいて、冷蔵室（５１）および冷凍室（５２）内が所定の温度範囲内になるように各電磁弁（１５１・１５２）を制御しており、
扉センサ（１９１）により冷蔵室（５１）の扉（１０）が開かれたことが検知されたのち、該扉（１０）が閉じられてから所定の待機時間（Ｌｔ）が経過するまでに、冷蔵室（５１）および冷凍室（５２）に対応する電磁弁（１５１・１５２）がいずれも開状態になる場合には、冷蔵室（５１）に対応する電磁弁（１５１）を閉操作し、前記待機時間（Ｌｔ）が経過すると、冷蔵室（５１）に対応する電磁弁（１５１）を開操作することを特徴とする冷凍冷蔵庫。
【請求項２】
扉センサ（１９１）により冷蔵室（５１）の扉（１０）が開かれたことが検知されたときに、冷蔵室（５１）および冷凍室（５２）に対応する電磁弁（１５１・１５２）がいずれも開状態の場合には、冷蔵室（５１）に対応する電磁弁（１５１）を閉操作する請求項１記載の冷凍冷蔵庫。
【請求項３】
冷蔵室（５１）に対応する電磁弁（１５１）のみが開状態にある場合において、扉センサ（１９１）により冷蔵室（５１）の扉（１０）が閉じられたことが検知されたのちに、待機時間（Ｌｔ）が経過すると、冷凍室（５２）に対応する電磁弁（１５２）のみを開操作する請求項１又は２記載の冷凍冷蔵庫。
【請求項４】
冷蔵室（５１）および冷凍室（５２）に対応する電磁弁（１５１・１５２）がいずれも開状態で、冷蔵室（５１）の扉（１０）が開かれたことが検知されることにより、冷蔵室（５１）に対応する電磁弁（１５１）を閉操作したのちにおいて、冷蔵室（５１）の扉（１０）が閉じられてから待機時間（Ｌｔ）が経過するまでに、冷凍室（５２）に対応する電磁弁（１５２）を閉操作する場合には、冷蔵室（５１）に対応する電磁弁（１５１）を開操作する請求項１ないし３のいずれかに記載の冷凍冷蔵庫。
【請求項５】
冷蔵室（５１）の扉（１０）が閉じられてから、待機時間（Ｌｔ）よりも短い所定の待ち時間（Ｗ）が経過してたときに、冷蔵室（５１）の温度センサ（１８１）の検知温度（Ｄ１）が予め設定された所定の高温温度値（ＤＨ）以上になっていると、冷蔵室（５１）に対応する電磁弁（１５１）を開操作する請求項１ないし４のいずれかに記載の冷凍冷蔵庫。
【発明の詳細な説明】
【技術分野】
【０００１】
本発明は、冷蔵室および冷凍室を有して、これら冷蔵室および冷凍室を一台の圧縮機を用いて冷却する冷凍冷蔵庫に関する。
【背景技術】
【０００２】
この種の冷凍冷蔵庫としては、例えば特許文献１が公知である。そこでは、冷蔵室および冷凍室に備えた冷却器が電磁弁を介して一台の圧縮機に接続されており、冷蔵室および冷凍室内の温度が所定の温度範囲内になるように、圧縮機で圧縮されて凝縮器で液化された冷媒が冷蔵室および冷凍室の冷却器に供給されている。また、冷蔵室および冷凍室の前面開口には、断熱構造の扉が配置されており、各扉を開いて冷蔵室および冷凍室の内部の収容物を取り出し、又は冷蔵室および冷凍室の内部に収容物を収容するようになっている。
【０００３】
【特許文献１】特開２０００−１０５０４８号公報（図１−６）
【発明の開示】
【発明が解決しようとする課題】
【０００４】
特許文献１の冷凍冷蔵庫では、冷蔵室内が所定温度以下に低下するまで当該冷蔵室の冷却器へ冷媒を供給し続けるため、冷蔵室の扉が開かれたことで冷蔵室内の温度が大きく上昇したときには、冷蔵室の冷却器への冷媒の供給時間が長くなり、冷蔵室の冷却器の冷媒出口側の圧力が過度に上昇する。このため、扉を開いていない冷凍室の冷却器の冷媒出口側の圧力も上昇して、冷凍室の冷却器に供給される冷媒の温度が高くなることが避けられず、冷凍室内の温度が上昇し、冷凍室内の収容物（冷凍品）の解凍等といった不具合を招くおそれがある。
【０００５】
本発明は、以上のような問題を解決するためになされたものであり、その目的は、冷蔵室の扉が開かれたときの冷凍室内の温度上昇を低減して、冷凍室内の収容物を適正に冷却できる冷凍冷蔵庫を提供することにある。
【課題を解決するための手段】
【０００６】
本発明は、前面が開口する冷蔵室５１および冷凍室５２と、冷蔵室５１および冷凍室５２にそれぞれ配置された冷却器６１・６２と、冷蔵室５１の前面開口を開閉する扉１０と、該扉１０の開閉を検知する扉センサ１９１とを有し、一台の圧縮機１２から各冷却器６１・６２に供給される冷媒により、冷蔵室５１および冷凍室５２内が冷却される冷凍冷蔵庫を対象とする。
冷蔵室５１および冷凍室５２の冷却器６１・６２は、電磁弁１５１・１５２を介してそれぞれ圧縮機１２に接続されており、電磁弁１５１・１５２が開状態になることで冷却器６１・６２に冷媒が供給されるようになっている。また、冷蔵室５１および冷凍室５２には、内部温度を検知する温度センサ１８１・１８２が配置されており、各温度センサ１８１・１８２の検知温度Ｄ１・Ｄ２に基づいて、冷蔵室５１および冷凍室５２内が所定の温度範囲内になるように各電磁弁１５１・１５２を制御している。
そして、扉センサ１９１により冷蔵室５１の扉１０が開かれたことが検知されたのち、該扉１０が閉じられてから所定の待機時間Ｌｔが経過するまでに、冷蔵室５１および冷凍室５２に対応する電磁弁１５１・１５２がいずれも開状態になる場合には、冷蔵室５１に対応する電磁弁１５１を閉操作し、前記扉１０が閉じられてから待機時間Ｌｔが経過すると、冷蔵室５１に対応する電磁弁１５１を開操作する。
ここでは、冷蔵室５１に対応する電磁弁１５１が冷凍室５２に対応する電磁弁１５２よりも先に開状態になる場合には、冷凍室５２に対応する電磁弁１５２が開状態になるときに冷蔵室５１に対応する電磁弁１５１を閉操作し、冷凍室５２に対応する電磁弁１５２が冷蔵室５１に対応する電磁弁１５１よりも先に開状態になる場合には、冷蔵室５１に対応する電磁弁１５１が開状態になるときに冷蔵室５１に対応する電磁弁１５１を閉操作することになる。
【０００７】
扉センサ１９１により冷蔵室５１の扉１０が開かれたことが検知されたときに、冷蔵室５１および冷凍室５２に対応する電磁弁１５１・１５２がいずれも開状態の場合には、冷蔵室５１に対応する電磁弁１５１を閉操作することができる。
【０００８】
冷蔵室５１に対応する電磁弁１５１のみが開状態にある場合において、扉センサ１９１により冷蔵室５１の扉１０が閉じられたことが検知されたのちに、待機時間Ｌｔが経過すると、冷凍室５２に対応する電磁弁１５２のみを開操作することができる。なお、この場合には、冷蔵室５１に対応する電磁弁１５１は閉操作しない。
【０００９】
冷蔵室５１および冷凍室５２に対応する電磁弁１５１・１５２がいずれも開状態で、冷蔵室５１の扉１０が開かれたことが検知されることにより、冷蔵室５１に対応する電磁弁１５１を閉操作したのちにおいて、冷蔵室５１の扉１０が閉じられてから待機時間Ｌｔが経過するまでに、冷凍室５２に対応する電磁弁１５２を閉操作する場合には、冷蔵室５１に対応する電磁弁１５１を開操作するようにすることができる。
【００１０】
冷蔵室５１の扉１０が閉じられてから、待機時間Ｌｔよりも短い所定の待ち時間Ｗが経過したときに、冷蔵室５１の温度センサ１８１の検知温度Ｄ１が予め設定された所定の高温温度値ＤＨ以上になっていると、冷蔵室５１に対応する電磁弁１５１を開操作することができる。ここでは、高温温度値ＤＨは、前記所定の温度範囲よりも高い温度に設定される。
【発明の効果】
【００１１】
本発明に係る冷凍冷蔵庫では、冷蔵室５１の扉１０が開かれたのち、該扉１０が閉じられてから待機時間Ｌｔが経過するまでに、冷蔵室５１および冷凍室５２に対応する電磁弁１５１・１５２がいずれも開状態になると、冷蔵室５１に対応する電磁弁１５１を閉操作する。これにて、扉１０が開かれたことで冷蔵室５１内が大きく温度上昇したために、冷蔵室５１の冷却器６１へ冷媒が長時間継続して供給されることを防止でき、該冷媒供給の長時間継続に伴う冷凍室５２の冷却器６２の冷媒出口６２ｂ側の過度の圧力上昇を抑えて、冷凍室５２の冷却器６２に供給された冷媒の温度上昇を抑えることができる。加えて冷凍室５２の冷却器６２には冷媒が供給されているので、冷凍室５２内の温度上昇を確実に抑えることができ、冷凍室５２内の収容物（冷凍品）の解凍等を防止して、収容物を適正に冷却保存することができる。
【００１２】
また、待機時間Ｌｔが経過すると、冷凍室５２に対応する電磁弁１５２が開状態であっても、冷蔵室５１に対応する電磁弁１５１を開操作して冷蔵室５１内の温度上昇も抑えている。このため、冷蔵室５１に対応する電磁弁１５１の閉状態の長期化による冷蔵室５１内の収容物（冷蔵品）の品質劣化等が防止され、冷蔵室５１および冷凍室５２内の収容物をそれぞれ適正に冷却保存することができ、冷凍冷蔵庫の信頼性向上に貢献できる。
【００１３】
冷蔵室５１の扉１０が開かれたときに、冷蔵室５１および冷凍室５２に対応する電磁弁１５１・１５２がいずれも開状態の場合には、冷蔵室５１に対応する電磁弁１５１を閉操作するので、冷蔵室５１の扉１０が開かれたことに伴う冷凍室５２の冷却器６２の冷媒出口６２ｂ側の圧力上昇を早期に抑えることができる。これにて、冷凍室５２の冷却器６２に供給された冷媒の温度上昇を確実に抑えて、冷凍室５２内の収容物の解凍等を防止することができる。
【００１４】
冷蔵室５１に対応する電磁弁１５１のみが開状態にある場合において、冷蔵室５１の扉１０が閉じられてから待機時間Ｌｔが経過すると、冷凍室５２に対応する電磁弁１５２のみを開操作し、冷蔵室５１に対応する電磁弁１５１は閉操作しないようにすることができる。つまり、冷蔵室５１に対応する電磁弁１５１のみが開状態のままで、冷蔵室５１の扉１０が閉じられてから待機時間Ｌｔが経過すると、冷蔵室５１内の温度もある程度低下しており、この分だけ、待機時間Ｌｔの経過後に冷蔵室５１に対応する電磁弁１５１が閉操作されるまでの時間は短くなる。したがって、待機時間Ｌｔの経過後に冷凍室５２に対応する電磁弁１５２が開操作されても、冷蔵室５１に対応する電磁弁１５１が閉操作されるまでの時間が短い分だけ、前述の冷凍室５２の冷却器６２の冷媒出口６２ｂ側の圧力上昇が抑えられ、冷凍室５２内の温度上昇が抑えられて、冷凍室５２内の収容物の解凍等を防止することができる。そして、冷蔵室５１に対応する電磁弁１５１を閉操作しない分だけ、冷蔵室５１内を早期に冷却することができる。
【００１５】
冷蔵室５１および冷凍室５２に対応する電磁弁１５１・１５２がいずれも開状態で、冷蔵室５１の扉１０が開かれることにより、冷蔵室５１に対応する電磁弁１５１を閉操作したのちにおいて、冷蔵室５１の扉１０が閉じられてから待機時間Ｌｔが経過するまでに、冷凍室５２に対応する電磁弁１５２を閉操作する場合には、冷蔵室５１に対応する電磁弁１５１を開操作することができる。これにて、例えば待機時間Ｌｔの経過を待って、冷蔵室５１に対応する電磁弁１５１を開操作する場合よりも、冷蔵室５１内を早期に冷却することができる。
【００１６】
冷蔵室５１に対応する電磁弁１５１が閉状態のままで冷蔵室５１の扉１０が閉じられてから待機時間Ｌｔが経過する前に、冷蔵室５１の扉１０が開かれることが繰り返されると、冷蔵室５１に対応する電磁弁１５１が開操作されず閉状態が長時間継続し、冷蔵室５１内の温度が過度に上昇してしまう。本発明では、冷蔵室５１の扉１０が閉じられてから待ち時間Ｗが経過しても、冷蔵室５１の温度センサ１８１の検知温度Ｄ１が所定の高温温度値ＤＨ以上になっていると、冷蔵室５１に対応する電磁弁１５１を開操作する。これにて、冷蔵室５１に対応する電磁弁１５１の閉状態が長時間継続して冷蔵室５１内の温度が過度に上昇して、冷蔵室５１内の収容物の品質劣化を招くことを防止できる。これにても、冷蔵室５１内の収容物が適正に冷却保存される。
【発明を実施するための最良の形態】
【００１７】
本発明に係る冷凍冷蔵庫の実施形態を図１ないし図１０に基づいて説明する。図２において冷凍冷蔵庫には、前面が開口する断熱構造のケース本体１と、該ケース本体１の内部空間を上下に仕切る断熱構造の仕切り壁２と、ケース本体１の下側に配置した機械室３とを備えている。そして、ケース本体１内における仕切り壁２の上部に冷蔵室５１が構成され、仕切り壁２の下部に冷凍室５２が構成される。
【００１８】
冷蔵室５１および冷凍室５２には、冷却器６１・６２がそれぞれ配置される。冷蔵室５１の冷却器６１は、冷蔵室５１の後部に配置されたダクト４内の上端部に配置される。そして、ダクト４の上部開口に配置したファン８によってダクト４内に吸い込まれた冷蔵室５１内の冷気が、冷却器６１で冷却されたのち、ダクト４の下部開口から冷蔵室５１内に吹き出される。冷凍室５２の冷却器６２は、パネル状に形成されて冷凍室５２の内壁に配置される。冷蔵室５１内は、例えば３℃に冷却され、冷凍室５２内は、例えば−３０℃に冷却される。冷蔵室５１および冷凍室５２の各前面開口は、断熱構造の扉１０・１１によってそれぞれ開閉操作される。冷蔵室５１および冷凍室５２には、扉１０・１１の開閉を検知する扉センサ１９１・１９２（図１）がそれぞれ配置される。
【００１９】
機械室３内には、図１および図２に示す冷凍機構７が配置されており、該冷凍機構７は、一台の圧縮機１２と一台の凝縮器１３等によって構成される。そして、各冷却器６１・６２の冷媒入口６１ａ・６２ａが、膨張弁１４１・１４２および電磁弁１５１・１５２を介して凝縮器１３の冷媒出口１３ｂにそれぞれ接続され、凝縮器１３の冷媒入口１３ａが圧縮機１２の冷媒出口１２ｂに接続される。つまり、各冷却器６１・６２の冷媒入口６１ａ・６２ａ側が、同一の凝縮器１３を介して同一の圧縮機１２の冷媒出口１２ｂ側にそれぞれ接続される。また、冷蔵室５１の冷却器６１の冷媒出口６１ｂが、キャピラリチューブ２０を介して圧縮機１２の冷媒入口１２ａに接続され、冷凍室５２の冷却器６２の冷媒出口６２ｂが、逆止弁２１を介して圧縮機１２の冷媒入口１２ａに接続される。つまり、各冷却器６１・６２の冷媒出口６１ｂ・６２ｂが、前記圧縮機１２の冷媒入口１２ａ側にそれぞれ接続される。
【００２０】
圧縮機１２の冷媒入口１２ａと冷媒出口１２ｂとは、バイパス路３１で接続されており、バイパス路３１には、電磁弁３２および冷媒の流量を制限するキャピラリチューブ３３が配置されている。そして、圧縮機１２が停止したときには、電磁弁３２が所定時間（例えば９０秒）だけオン（開操作）され、これにて圧縮機１２の冷媒入口１２ａ側と冷媒出口１２ｂ側との均圧化が図られる。
【００２１】
冷蔵室５１には、冷却器７に臨ませてヒータ１６が配置されており、該ヒータ１６は、冷蔵室５１の冷却器６１の除霜等に使用される。冷蔵室５１および冷凍室５２には、各室５１・５２の内部温度を検知する温度センサ１８１・１８２（図１）をそれぞれ配置してある。なお、凝縮器１３は、ファン１７の送風によって冷却される。
【００２２】
冷凍冷蔵庫には、図１に示すように、各温度センサ１８１・１８２の検知温度に基づいて、各室５１・５２内が所定の温度範囲内になるように各電磁弁１５１・１５２を開閉操作するとともに、圧縮機１２の駆動、停止を制御する制御部２３が設けられる。制御部２３は、冷蔵室５１および冷凍室５２用の両電磁弁１５１・１５２の少なくとも一方がオン（開弁）しているときには圧縮機１２を駆動し、両電磁弁１５１・１５２がオフ（閉弁）のときには圧縮機１２の駆動を停止する。
【００２３】
冷蔵室用の電磁弁１５１が開弁状態に操作（開操作）されたときには、圧縮機１２で圧縮されて凝縮器１３で液化した冷媒が冷蔵室用の冷却器６１に供給され、該冷媒の気化熱で冷蔵室５１内が冷却される。また、冷凍室用の電磁弁１５２が開弁状態に操作（開操作）されたときには、圧縮機１２で圧縮されて凝縮器１３で液化した冷媒が冷凍室用の冷却器６２に供給され、該冷媒の気化熱で冷凍室５２内が冷却される。制御部２３には、各種の計時用のタイマー２４（図１）が内蔵されている。
【００２４】
次に、本発明の冷凍冷蔵庫の動作を、図３ないし図８のフローチャート（以下、本フローチャートと記す。）を用いて説明する。なお、本フローチャートの実行開始の際には、冷蔵室および冷凍室用の両電磁弁１５１・１５２がオフ（閉状態）になっており、これに伴って冷蔵室５１および冷凍室５２内の温度が上昇している状態であるものとする。
【００２５】
まず制御部２３は、タイマー２４をリセットし（Ｓ１）、冷蔵室５１の検知温度Ｄ１が予め設定された所定の冷蔵用オン温度値Ｄｎ１（例えば７℃）以上になると（Ｓ２でＹＥＳ）、冷蔵室用の電磁弁１５１をオン（開操作）する（Ｓ３）。これにて圧縮機１２で圧縮されて凝縮器１３で液化した冷媒が冷蔵室用の冷却器６１に供給され、該冷媒の気化熱で冷蔵室５１内が冷却される。また制御部２３は、冷凍室５２の検知温度Ｄ２が予め設定された所定の冷凍用オン温度値Ｄｎ２（例えば−２８℃）以上になると（Ｓ４でＹＥＳ）、冷凍室用の電磁弁１５２をオン（開操作）する（Ｓ５）。これにて圧縮機１２で圧縮されて凝縮器１３で液化した冷媒が冷凍室用の冷却器６２に供給され、該冷媒の気化熱で冷凍室５２内が冷却される。
【００２６】
そして、制御部２３は、冷蔵室５１の検知温度Ｄ１が予め設定された所定の冷蔵用オフ温度値Ｄｆ１（例えば３℃）以下になると（Ｓ６でＹＥＳ）、冷蔵室用の電磁弁１５１をオフ（閉操作）する（Ｓ７）。また制御部２３は、冷凍室５２の検知温度Ｄ２が予め設定された所定の冷凍用オフ温度値Ｄｆ２（例えば−３１℃）以下になると（Ｓ８でＹＥＳ）、冷凍室用の電磁弁１５２をオフ（閉操作）する（Ｓ９）。
【００２７】
これらＳ２〜Ｓ９の処理（通常処理）は、冷蔵室５１の扉１０が開かれるまで（Ｓ１０でＹＥＳ）繰り返され、これにて冷蔵室５１内の温度は、冷蔵用オフ温度値Ｄｆ１と冷蔵用オン温度値Ｄｎ１との間の温度範囲内に制御され、冷凍室５２内の温度は、冷凍用オフ温度値Ｄｆ２と冷凍用オン温度値Ｄｎ２との間の温度範囲内に制御される。
【００２８】
扉センサ１９１で冷蔵室５１の扉１０が開かれたことが検知されると、制御部２３はＳ１１の処理に移行する。例えば、制御部２３は、冷蔵室５１の扉１０が開かれたときに（Ｓ１０でＹＥＳ）、Ｓ１１で冷蔵室用の電磁弁１５１がオン状態（開状態）であり（Ｓ１１でＹＥＳ）、冷凍室用の電磁弁１５２がオン状態であると（Ｓ１３でＹＥＳ）、冷蔵室用の電磁弁１５１をオフ操作（閉操作）する（Ｓ１４）。なお、この時点では、冷蔵室５１の検知温度Ｄ１が、冷蔵用オフ温度値Ｄｆ１よりも高い状態（Ｓ１２でＮＯ）であるとして説明する。Ｓ１１で冷蔵室用の電磁弁１５１がオフ状態（閉状態）の場合には（Ｓ１１でＮＯ）、Ｓ２８の処理に移行する。
【００２９】
制御部２３は、Ｓ１５で冷蔵室５１の扉１０が閉じられていない場合には（Ｓ１５でＮＯ）、冷凍室５２の検知温度Ｄ２が冷凍用オフ温度値Ｄｆ２よりも高い状態であると（Ｓ１６でＮＯ）、Ｓ１５に戻ってＳ１５以降の処理を繰り返す。一方、制御部２３は、扉センサ１９１で冷蔵室５１の扉１０が閉じられたことが検知されると（Ｓ１５でＹＥＳ）、タイマー２４によるＴ１の計時を開始する（Ｓ１７）。そして、該計時時間Ｔ１が、予め設定された所定の待機時間Ｌｔ（例えば５分）となる前は（Ｓ１８でＮＯ）、タイマー２４によるＴＷの計時を開始し（Ｓ１９）、該計時時間ＴＷが、予め設定された所定の待ち時間Ｗ（例えば１分）となると（Ｓ２０でＹＥＳ）、計時時間ＴＷをリセットしたのち（Ｓ２１）、Ｓ２２の処理に移行する。
【００３０】
Ｓ２２では、制御部２３は、冷蔵室５１の検知温度Ｄ１が、冷蔵用オン温度値Ｄｎ１よりも高い温度値である、予め設定された所定の高温温度値ＤＨ（例えば１０℃）以上であるか否かを判断する。そして、冷蔵室５１の検知温度Ｄ１が高温温度値ＤＨよりも低い状態であると（Ｓ２２でＮＯ）、制御部２３は、冷凍室５２の検知温度Ｄ２が冷凍用オフ温度値Ｄｆ２よりも高く（Ｓ２３でＮＯ）、且つ、冷蔵室５１の扉１０が開かれていない場合には（Ｓ２４でＮＯ）、Ｓ１７に戻ってＳ１７以降の処理を繰り返す。一方、制御部２３は、Ｓ２４で扉センサ１９１で冷蔵室５１の扉１０が開かれたことが検知されると（Ｓ２４でＹＥＳ）、計時時間Ｔ１をリセットしたのち（Ｓ２５）、Ｓ１５に戻ってＳ１５以降の処理を繰り返す。
【００３１】
Ｓ１６又はＳ２３で冷凍室５２の検知温度Ｄ２が冷凍用オフ温度値Ｄｆ２以下になると（Ｓ１６又はＳ２３でＹＥＳ）、制御部２３は、冷凍室用の電磁弁１５２をオフし（Ｓ２６）、冷蔵室用の電磁弁１５１をオンする（Ｓ２７）。この後、制御部２３は、Ｓ１に戻ってタイマー２４をリセットしたのち、Ｓ２以降の処理（通常処理）を繰り返す。
【００３２】
Ｓ１８で待機時間Ｌｔを経過しているときには（Ｓ１８でＹＥＳ）、制御部２３は、Ｓ２７に移行して冷蔵室用の電磁弁１５１をオンしたのち、Ｓ１以降の処理を行う。Ｓ２２で冷蔵室５１の検知温度Ｄ１が高温温度値ＤＨ以上になったときには（Ｓ２２でＹＥＳ）、制御部２３は、Ｓ２７に移行して冷蔵室用の電磁弁１５１をオンしたのち、Ｓ１以降の処理を行う。
【００３３】
一方、例えば、Ｓ２〜Ｓ９の通常処理を繰り返しているときに、冷蔵室５１の扉１０が開かれたのち（Ｓ１０でＹＥＳ）、冷蔵室用の電磁弁１５１がオン状態（Ｓ１１でＹＥＳ）であるとともに、冷凍室用の電磁弁１５２がオフ状態（Ｓ１３でＮＯ）であると、制御部２３は、Ｓ２９の処理に移行する。そして、冷蔵室５１の扉１０が閉じられていない場合には（Ｓ２９でＮＯ）、冷凍室５２の検知温度Ｄ２が冷凍用オフ温度値Ｄｆ２よりも低い状態であると（Ｓ３０でＮＯ）、Ｓ１２に戻ってＳ１２以降の処理を繰り返す。
【００３４】
このＳ１２において、冷蔵室５１の検知温度Ｄ１が冷蔵用オフ温度値Ｄｆ１以下になっていると（Ｓ１２でＹＥＳ）、制御部２３は、Ｓ３８で冷蔵室用の電磁弁１５１をオフ操作（閉操作）したのち、Ｓ２８の処理に移行する。Ｓ３０で冷凍室５２の検知温度Ｄ２が冷凍用オフ温度値Ｄｆ２以下であると（Ｓ３０でＹＥＳ）、制御部２３は、Ｓ３１で冷凍室用の電磁弁１５２をオンしたのち、Ｓ１２の処理に移行する。
【００３５】
Ｓ２９において、制御部２３は、扉センサ１９１で冷蔵室５１の扉１０が閉じられたことが検知されると（Ｓ２９でＹＥＳ）、タイマー２４によるＴ２の計時を開始する（Ｓ３２）。そして、該計時時間Ｔ２が待機時間Ｌｔとなる前に（Ｓ３３でＮＯ）、冷蔵室５１の検知温度Ｄ１が冷蔵用オフ温度値Ｄｆ１よりも高く、且つ、冷凍室５２の検知温度Ｄ２が冷凍用オン温度値Ｄｎ２よりも低い状態であると（Ｓ３４でＮＯ、Ｓ３５でＮＯ）、Ｓ２９〜Ｓ３５の処理が繰り返される。Ｓ３３で待機時間Ｌｔを経過しているときには（Ｓ３３でＹＥＳ）、制御部２３は、Ｓ１に戻ってタイマー２４での計時時間Ｔ２をリセットしたのち、Ｓ２以降の処理（通常処理）を繰り返す。
【００３６】
Ｓ３４で冷蔵室５１の検知温度Ｄ１が冷蔵用オフ温度値Ｄｆ１以下であると（Ｓ３４でＹＥＳ）、制御部２３は、Ｓ３６で冷蔵室用の電磁弁１５１をオフ操作したのちに、Ｓ２８の処理に移行する。Ｓ３５で冷凍室５２の検知温度Ｄ２が冷凍用オン温度値Ｄｎ２以上であると（Ｓ３５でＹＥＳ）、制御部２３は、Ｓ３７で冷凍室用の電磁弁１５２をオン操作（開操作）したのち、Ｓ１４に戻ってＳ１４以降の処理を繰り返す。
【００３７】
Ｓ２８で冷凍室用の電磁弁１５２がオン状態であると（Ｓ２８でＹＥＳ）、制御部２３は、冷蔵室５１の扉１０が閉じられていない場合には（Ｓ３９でＮＯ）、冷蔵室５１の検知温度Ｄ１が冷蔵用オン温度値Ｄｎ１よりも低い状態であると（Ｓ４０でＮＯ）、Ｓ４１の処理に移行する。そして、制御部２３は、冷凍室５２の検知温度Ｄ２が冷凍用オフ温度値Ｄｆ２以下であると（Ｓ４１でＹＥＳ）、Ｓ４２で冷凍室用の電磁弁１５２をオフ操作したのち、Ｓ１１に戻ってＳ１１以降の処理を繰り返す。
【００３８】
Ｓ４０で冷蔵室５１の検知温度Ｄ１が冷蔵用オン温度値Ｄｎ１以上であると（Ｓ４０でＹＥＳ）、制御部２３は、Ｓ１４に戻ってＳ１４以降の処理を繰り返す。Ｓ４１で冷凍室５２の検知温度Ｄ２が冷凍用オフ温度値Ｄｆ２よりも高い状態であると（Ｓ４１でＮＯ）、冷凍室用の電磁弁１５２をオン状態にしたまま、Ｓ１１に戻ってＳ１１以降の処理を繰り返す。
【００３９】
Ｓ３９において、制御部２３は、扉センサ１９１で冷蔵室５１の扉１０が閉じられたことが検知されると（Ｓ３９でＹＥＳ）、タイマー２４によるＴ３の計時を開始する（Ｓ４４）。そして、制御部２３は、該計時時間Ｔ３が待機時間Ｌｔとなる前には（Ｓ４５でＮＯ）、Ｓ３９に戻ってＳ３９以降の処理を繰り返し、待機時間Ｌｔが経過すると（Ｓ４５でＹＥＳ）、Ｓ１に戻ってタイマー２４での計時時間Ｔ３をリセットしたのち、Ｓ２以降の処理（通常処理）を繰り返す。
【００４０】
Ｓ２８で冷凍室用の電磁弁１５２がオフ状態であると（Ｓ２８でＮＯ）、制御部２３は、冷蔵室５１の扉１０が閉じられていない場合には（Ｓ４７でＮＯ）、冷蔵室５１の検知温度Ｄ１が冷蔵用オン温度値Ｄｎ１よりも低い状態であると（Ｓ４８でＮＯ）、Ｓ４９の処理に移行する。そして、制御部２３は、冷凍室５２の検知温度Ｄ２が冷凍用オン温度値Ｄｎ２以上であると（Ｓ４９でＹＥＳ）、Ｓ５０で冷凍室用の電磁弁１５２をオン操作したのち、Ｓ１１に戻ってＳ１１以降の処理を繰り返す。
【００４１】
Ｓ４８で冷蔵室５１の検知温度Ｄ１が冷蔵用オン温度値Ｄｎ１以上であると（Ｓ４８でＹＥＳ）、Ｓ５１で冷蔵室用の電磁弁１５１をオン操作したのち、Ｓ１１に戻ってＳ１１以降の処理を繰り返す。Ｓ４９で冷凍室５２の検知温度Ｄ２が冷凍用オン温度値Ｄｎ２よりも低い状態であると（Ｓ４９でＮＯ）、冷凍室用の電磁弁１５２をオフ状態にしたまま、Ｓ１１に戻ってＳ１１以降の処理を繰り返す。
【００４２】
Ｓ４７において、制御部２３は、扉センサ１９１で冷蔵室５１の扉１０が閉じられたことが検知されると（Ｓ４７でＹＥＳ）、タイマー２４によるＴ４の計時を開始する（Ｓ５２）。そして、制御部２３は、該計時時間Ｔ４が待機時間Ｌｔとなる前には（Ｓ５３でＮＯ）、Ｓ１１に戻ってＳ１１以降の処理を繰り返し、待機時間Ｌｔが経過すると（Ｓ５３でＹＥＳ）、Ｓ１に戻ってタイマー２４での計時時間Ｔ４をリセットしたのち、Ｓ２以降の処理（通常処理）を繰り返す。
【００４３】
本発明の冷凍冷蔵庫の作用を図９および図１０のタイミングチャートを用いて説明する。例えば、冷蔵室５１の扉１０が開かれるまでに、冷蔵室および冷凍室用の両電磁弁１５１・１５２がオン操作されており（時刻ｔ１、時刻ｔ２）、冷蔵室５１の検知温度Ｄ１が冷蔵用オフ温度値Ｄｆ１よりも高い状態であると（Ｓ１１でＹＥＳ、Ｓ１２でＮＯ、Ｓ１３でＹＥＳ）、前記扉１０が開かれる（Ｓ１０でＹＥＳ）ことに応じて冷蔵室用の電磁弁１５１がオフ操作される（時刻ｔ３：Ｓ１４）。
【００４４】
そして、冷凍室５２の検知温度Ｄ２が冷凍用オフ温度値Ｄｆ２よりも高いために（Ｓ１６でＮＯ）、冷凍室用の電磁弁１５２がオン状態のままで、冷蔵室５１の扉１０が閉じられ（時刻ｔ４：Ｓ１５でＹＥＳ）、その後に待機時間Ｌｔが経過すると（時刻ｔ５：Ｓ１８でＹＥＳ）、冷蔵室用の電磁弁１５１がオン操作される（Ｓ２７）。そして、冷蔵室５１の検知温度Ｄ１が冷蔵用オフ温度値Ｄｆ１以下になったときに（時刻ｔ６）、冷蔵室用の電磁弁１５１がオフ操作され、冷凍室５２の検知温度Ｄ２が冷凍用オフ温度値Ｄｆ２以下になったときに（時刻ｔ７）、冷凍室用の電磁弁１５２がオフ操作される。
【００４５】
つまり、冷蔵室５１の扉１０が開かれたときには、冷蔵室５１内の温度は冷蔵用オン温度値Ｄｎ１よりも高い温度に急激に上昇する。この上昇した冷蔵室５１内の温度を冷蔵用オフ温度値Ｄｆ１以下に低下させるために、冷蔵室用の電磁弁１５１が、冷蔵室５１の扉１０の閉状態で行われるＳ２〜Ｓ９の通常処理の場合よりも長時間オン操作されることになる。かかる冷蔵室用の電磁弁１５１が長時間継続してオン状態になると、冷蔵室５１の冷却器６１の冷媒出口６１ｂ側の圧力が過度に上昇し、これに伴って冷凍室５２の冷却器６２の冷媒出口６２ｂ側の圧力も上昇し、冷凍室５２の冷却器６２に供給された冷媒の温度が高くなる。これにて冷凍室５２内の温度が次第に上昇して、冷凍室５２内の収容物（冷凍品）の解凍等を招くおそれがある。
【００４６】
かかる不具合を解消するために、冷蔵室５１および冷凍室５２に対応する電磁弁１５１・１５２がオン状態で、冷蔵室５１の扉１０が開かれると、冷蔵室用の電磁弁１５１を強制的にオフ操作して、前述の冷凍室５２の冷却器６２の冷媒出口６２ｂ側の圧力上昇を抑えている。加えて冷凍室５２の冷却器６２には冷媒が供給されているので、冷凍室５２内の温度上昇を確実に抑えることができ、冷凍室５２内の収容物の解凍等を防止することができる。
【００４７】
また、待機時間Ｌｔが経過すると、冷凍室用の電磁弁１５２がオン状態であっても、冷蔵室用の電磁弁１５１をオン操作して冷蔵室５１内の温度上昇も抑えている。このため、冷蔵室用の電磁弁１５１の強制的なオフ操作の長期化による冷蔵室５１内の収容物（冷蔵品）の品質劣化等が防止され、冷蔵室５１および冷凍室５２内の収容物をそれぞれ適正に冷却保存することができる。
【００４８】
また、例えば、Ｓ２〜Ｓ９の通常処理において、冷凍室用の電磁弁１５２がオフ状態で、冷蔵室用の電磁弁１５１がオン操作されたのち（時刻ｔ８）、冷蔵室５１の扉１０が開かれると（時刻ｔ９：Ｓ１０でＹＥＳ）、冷蔵室用の電磁弁１５１は、オフ操作されずオン状態のままとなる（Ｓ１１でＹＥＳ、Ｓ１２・Ｓ１３でＮＯ、Ｓ２９・Ｓ３０でＮＯ）。その後に冷蔵室５１の扉１０が閉じられ（時刻ｔ１０：Ｓ２９でＹＥＳ）、待機時間Ｌｔが経過すると（時刻ｔ１１：Ｓ３３でＹＥＳ）、Ｓ２〜Ｓ９の通常処理に戻る。すなわち、冷凍室５２の検知温度Ｄ２が冷凍用オン温度値Ｄｎ２以上になって（Ｓ４でＹＥＳ）、冷凍室用の電磁弁１５２がオン操作されても（時刻ｔ１２：Ｓ５）、冷蔵室用の電磁弁１５１のオン状態が維持される。なお、冷蔵室５１の検知温度Ｄ１が冷蔵用オフ温度値Ｄｆ１以下になると（時刻ｔ１３：Ｓ６でＹＥＳ）、冷蔵室用の電磁弁１５１がオフ操作される（Ｓ７）。
【００４９】
つまり、冷蔵室用の電磁弁１５１がオン状態のままで、冷蔵室５１の扉１０が閉じられてから待機時間Ｌｔが経過することで、冷蔵室５１内の温度もある程度低下している。このため、待機時間Ｌｔの経過後に、冷蔵室５１の検知温度Ｄ１が冷蔵用オフ温度値Ｄｆ１以下になって、冷蔵室用の電磁弁１５１がオフ操作されるまでの時間は短くなる。したがって、待機時間Ｌｔの経過後に冷凍室用の電磁弁１５２がオン操作されても、冷蔵室用の電磁弁１５１がオフ操作されるまでの時間が短い分だけ、前述の冷凍室５２の冷却器６２の冷媒出口６２ｂ側の圧力上昇が抑えられ、冷凍室５２内の温度上昇が抑えられる。そして、冷蔵室用の電磁弁１５１をオフ操作しない分だけ、冷蔵室５１内を早期に冷却することができる。
【００５０】
また、例えば、冷蔵室５１の扉１０が開かれたときに（時刻ｔ１４：Ｓ１０でＹＥＳ）、冷蔵室用の電磁弁１５１がオフ状態（Ｓ１１でＮＯ）、且つ、冷凍室用の電磁弁１５２がオフ状態である場合には（Ｓ２８でＮＯ）、冷蔵室５１の扉１０が閉じられて（時刻ｔ１６）、待機時間Ｌｔが経過する前に（Ｓ４７でＮＯ）、冷蔵室用の電磁弁１５１がオン操作され（時刻ｔ１５：Ｓ４８でＹＥＳ、Ｓ５１）、且つ、冷凍室用の電磁弁１５２がオン操作されると（時刻ｔ１７：Ｓ４９でＹＥＳ、Ｓ５０）、冷蔵室用の電磁弁１５１がオフ操作される（Ｓ１１でＹＥＳ、Ｓ１２でＮＯ、Ｓ１３でＹＥＳ、Ｓ１４）。そして、該電磁弁１５１のオフ操作後に待機時間Ｌｔが経過すると（時刻ｔ１８：Ｓ１８でＹＥＳ）、冷蔵室用の電磁弁１５１をオン操作する（Ｓ２７）。
【００５１】
このように、冷蔵室５１の扉１０が開かれたときに、冷蔵室用の電磁弁１５１がオフ状態であっても、冷蔵室５１の扉１０が閉じられ、その後に待機時間Ｌｔが経過するまでに、冷蔵室用の電磁弁１５１がオン操作され、且つ、冷凍室用の電磁弁１５２がオン操作されると、この場合にも冷蔵室用の電磁弁１５１を強制的にオフ操作する。なお、冷蔵室５１の検知温度Ｄ１が冷蔵用オフ温度値Ｄｆ１以下になったときには（時刻ｔ１９）、冷蔵室用の電磁弁１５１がオフ操作され、冷凍室５２の検知温度Ｄ２が冷凍用オフ温度値Ｄｆ２以下になったときには（時刻ｔ２０）、冷凍室用の電磁弁１５２がオフ操作される。
【００５２】
また、例えば、冷蔵室５１の扉１０が開かれたときに、冷蔵室用の電磁弁１５１がオフ状態（Ｓ１１でＮＯ）、且つ、冷凍室用の電磁弁１５２がオン状態である場合（Ｓ２８でＹＥＳ）、冷蔵室５１の扉１０が閉じられたのち（Ｓ３９でＹＥＳ）、待機時間Ｌｔが経過するまでに（Ｓ４５でＮＯ）、冷蔵室５１の検知温度Ｄ１が冷蔵用オン温度値Ｄｎ１以上になっても、冷蔵室用の電磁弁１５１のオフ状態が維持される。そして、待機時間Ｌｔが経過したのちに（Ｓ４５でＹＥＳ）、冷蔵室用の電磁弁１５１をオン操作する（Ｓ２でＹＥＳ、Ｓ３）。
【００５３】
また、例えば、Ｓ２〜Ｓ９の通常処理において、冷蔵室用の電磁弁１５１がオン操作されたのち（時刻ｔ２１）、冷凍室用の電磁弁１５２がオン操作され（時刻ｔ２２）、その後に冷蔵室５１の扉１０が開かれたときにも（時刻ｔ２３：Ｓ１０でＹＥＳ）、冷蔵室用の電磁弁１５１がオフ操作される（Ｓ１１でＹＥＳ、Ｓ１２でＮＯ、Ｓ１３でＹＥＳ、Ｓ１４）。その後、冷蔵室５１の扉１０が閉じられて（時刻ｔ２４：Ｓ１５でＹＥＳ）、待機時間Ｌｔが経過する前に（Ｓ１８でＮＯ、Ｓ２０でＹＥＳ、Ｓ２３・Ｓ２４でＮＯ）、冷凍室５２の検知温度Ｄ２が冷凍用オフ温度値Ｄｆ２以下になったときには（時刻ｔ２５：Ｓ２３でＮＯ）、冷凍室用の電磁弁１５２がオフ操作されるとともに（Ｓ２６）、冷蔵室用の電磁弁１５１がオン操作される（Ｓ２７）。
【００５４】
つまり、冷蔵室５１の扉１０が開かれて冷蔵室用の電磁弁１５１をオフ操作したのち、待機時間Ｌｔが経過するまでに、冷凍室用の電磁弁１５２をオフ操作する場合には、冷蔵室用の電磁弁１５１をオン操作することで、例えば待機時間Ｌｔの経過を待って、冷蔵室用の電磁弁１５１をオン操作する場合よりも、冷蔵室５１内を早期に冷却することができる。なお、例えば、前記待機時間Ｌｔが経過したのち（時刻ｔ２６）、冷蔵室５１の検知温度Ｄ１が冷蔵用オフ温度値Ｄｆ１以下になったときには（時刻ｔ２７）、冷蔵室用の電磁弁１５１がオフ操作される。
【００５５】
また、例えば、Ｓ２〜Ｓ９の通常処理において、冷蔵室用の電磁弁１５１のオフ状態で、冷凍室用の電磁弁１５２がオン操作されたのち（時刻ｔ３０）、冷蔵室５１の扉１０が開かれると（時刻ｔ３１：Ｓ１０でＹＥＳ）、冷蔵室５１の検知温度Ｄ１が冷蔵用オン温度値Ｄｎ１よりも低ければ（Ｓ１１でＮＯ、Ｓ２８でＹＥＳ、Ｓ３９でＮＯ、Ｓ４０でＹＥＳ）、冷蔵室用の電磁弁１５１のオフ状態が維持される（Ｓ１４）。
【００５６】
この状態で冷蔵室５１の扉１０が閉じられたのち（時刻ｔ３２：Ｓ１５でＹＥＳ）、待機時間Ｌｔが経過する前に（Ｓ１８でＮＯ）、冷蔵室５１の扉１０が開かれると（時刻ｔ３３：Ｓ２４でＹＥＳ）、冷蔵室用の電磁弁１５１のオフ状態が維持される。なお、このときには、冷蔵室５１の扉１０が閉じられてから待ち時間Ｗが経過しても（Ｓ２０でＹＥＳ）、冷蔵室５１の検知温度Ｄ１が所定の高温温度値ＤＨよりも低くなっている（Ｓ２２でＮＯ）として説明する。
【００５７】
そして、冷蔵室用の電磁弁１５１が閉状態のまま、冷蔵室５１の扉１０が閉じられてから待機時間Ｌｔが経過する前に、冷蔵室５１の扉１０が開かれることが繰り返されて、冷蔵室５１の扉１０が閉じられてから（時刻ｔ３４）、待ち時間Ｗが経過しても（時刻ｔ３５）、冷蔵室５１の温度センサ１８１の検知温度Ｄ１が高温温度値ＤＨ以上になっていると（Ｓ２０・Ｓ２２でＹＥＳ）、冷蔵室用の電磁弁１５１をオン操作する（Ｓ２７）。
【００５８】
つまり、冷蔵室用の電磁弁１５１のオフ状態が長時間継続すると、冷蔵室５１内の温度が過度に上昇し、冷蔵室５１内の収容物の品質劣化を招く。このため、冷蔵室５１の扉１０が閉じられてから待ち時間Ｗが経過しても、冷蔵室５１の検知温度Ｄ１が高温温度値ＤＨ以上になっていると、冷蔵室用の電磁弁１５１を強制的にオン操作して、冷蔵室５１内の温度上昇を抑えている。これにて、冷蔵室５１内の収容物の品質劣化が防止され、冷蔵室５１内の収容物が適正に冷却保存される。冷蔵室５１の検知温度Ｄ１が冷蔵用オフ温度値Ｄｆ１以下になったときには（時刻ｔ３６）、冷蔵室用の電磁弁１５１がオフ操作され、冷凍室５２の検知温度Ｄ２が冷凍用オフ温度値Ｄｆ２以下になったときには（時刻ｔ３７）、冷凍室用の電磁弁１５２がオフ操作される。
【００５９】
バイパス路３１、電磁弁３２およびキャピラリチューブ３３は、省略してもよい。
【図面の簡単な説明】
【００６０】
【図１】本発明に係る冷凍冷蔵庫を示すブロック構成図である。
【図２】本発明に係る冷凍冷蔵庫の概略構成を示す概略縦断面図である。
【図３】本発明に係る制御部の動作を示すフローチャートである。
【図４】本発明に係る制御部の動作を示すフローチャートである。
【図５】本発明に係る制御部の動作を示すフローチャートである。
【図６】本発明に係る制御部の動作を示すフローチャートである。
【図７】本発明に係る制御部の動作を示すフローチャートである。
【図８】本発明に係る制御部の動作を示すフローチャートである。
【図９】本発明に係る冷凍冷蔵庫の動作を示すタイミングチャートである。
【図１０】本発明に係る冷凍冷蔵庫の動作を示すタイミングチャートである。
【符号の説明】
【００６１】
１２  圧縮機
５１  冷蔵室
５２  冷凍室
６１・６２  冷却器
１５１・１５２  電磁弁
１８１・１８２  温度センサ
【図１】
2010071606.tif 000003
【図２】
2010071606.tif 000004
【図３】
2010071606.tif 000005
【図４】
2010071606.tif 000006
【図５】
2010071606.tif 000007
【図６】
2010071606.tif 000008
【図７】
2010071606.tif 000009
【図８】
2010071606.tif 000010
【図９】
2010071606.tif 000011
【図１０】
2010071606.tif 000012